【手続補正書】
【提出日】平成18年8月22日(2006.8.22)
【手続補正１】
【補正対象書類名】明細書
【補正対象項目名】特許請求の範囲
【補正方法】変更
【補正の内容】
【特許請求の範囲】    【請求項１】  遊技盤面上に発射された遊技球が特定の入球口に入球又は特定の通過口を通過するタイミングに起因して抽出される乱数値に従って大当りとしての遊技者に有利なゲーム内容とするか否かを決定する当否決定手段と、  大当りに移行するか否かを示す、２つ以上の特別図柄の組み合わせにより構成した当否画像の種類を決定する当否画像決定手段と、  前記当否決定手段により大当りとするか否かを決定する毎に画面上の特別図柄を変動表示した後、前記当否画像決定手段による当否を示す大当り図柄又は外れ図柄で静止表示するよう制御する画像制御手段と、  前記タイミングに従って、前記乱数値が抽選されると、前記当否決定手段による大当りとするか否か、特別図柄の変動中の一図柄を除き他の特別図柄が一致して静止するリーチの有無、特別図柄の変動時間を前記乱数値の抽選確率の高確率状態において短縮する時短の有無、特別図柄が高確率状態とする特定図柄か否か、前記外れ図柄が前記大当たり図柄の前後の図柄か否かに従って、前記特別図柄の変動開始から各特別図柄が静止して確定するまでの変動時間が相違するように設定された、複数の基本変動パターンに振分ける処理を行うことにより、該複数の基本変動パターンから１つの基本変動パターンを選択する基本変動パターン決定手段と、を備え、  該基本変動パターン決定手段、前記当否画像決定手段及び前記当否決定手段を主制御基板に、前記画像制御手段を画像制御基板に、各々備える弾球遊技機であって、  前記主制御基板は、図柄変動中コマンドを有し、該図柄変動中コマンドは、特別図柄変動時に画像制御基板に送信されるコマンドであり、前記基本変動パターンを示す基本変動パターンコード、左静止図柄指定コード、中静止図柄指定コード、右静止図柄指定コードの４種類のコマンドコードからなる画像表示コマンドを有し、  更に、前記画像制御基板に、前記主制御基板より前記画像表示コマンドの送信があることを判定すると、前記基本変動パターン及び各静止図柄を読み取り、前記主制御基板の基本変動パターン決定手段により決定された基本変動パターンを、特別図柄表示領域での特別図柄の変動開始から特別図柄がすべて静止して確定するまでの変動時間を同じにしつつ、最後に静止する特別図柄以外の特別図柄表示領域上での変動時間を静止図柄に対応させて異なる変動時間とする２つ以上の表示パターンに振り分ける表示パターン選択手段を備えたことを特徴とする弾球遊技機。    【請求項２】  遊技盤面上に発射された遊技球が特定の入球口に入球又は特定の通過口を通過するタイミングに起因して抽出される乱数値に従って大当りとしての遊技者に有利なゲーム内容とするか否かを決定する当否決定手段と、  大当りに移行するか否かを示す、２つ以上の特別図柄の組み合わせにより構成した当否画像の種類を決定する当否画像決定手段と、  前記当否決定手段により大当りとするか否かを決定する毎に画面上の特別図柄を変動表示した後、前記当否画像決定手段による当否を示す大当り図柄又は外れ図柄で静止表示するよう制御する画像制御手段と、  前記タイミングに従って、前記乱数値が抽選されると、少なくとも前記当否決定手段による大当りとするか否かを条件の１つとして選択される基本変動パターン決定手段と、を備え、  該基本変動パターン決定手段、前記当否画像決定手段及び前記当否決定手段を主制御基板に、前記画像制御手段を画像制御基板に、各々備える弾球遊技機であって、  前記主制御基板は、図柄変動中コマンドを有し、該図柄変動中コマンドは、特別図柄変動時に画像制御基板に送信されるコマンドであり、前記基本変動パターンを示す基本変動パターンコード、左静止図柄指定コード、中静止図柄指定コード、右静止図柄指定コードの４種類のコマンドコードからなる画像表示コマンドを有し、  更に、前記画像制御基板に、前記主制御基板より前記画像表示コマンドの送信があることを判定すると、前記基本変動パターン及び各静止図柄を読み取り、前記主制御基板の基本変動パターン決定手段により決定された基本変動パターンを、特別図柄表示領域での特別図柄の変動開始から特別図柄がすべて静止して確定するまでの変動時間を同じにしつつ、最後に静止する特別図柄以外の特別図柄表示領域上での変動時間を静止図柄に対応させて異なる変動時間とし、且つ前記当否画像を構成する図柄の組合せ態様により２つ以上の表示パターンに振り分ける表示パターン選択手段を備えたことを特徴とする弾球遊技機。【手続補正２】
【補正対象書類名】明細書
【補正対象項目名】０００６
【補正方法】変更
【補正の内容】
【０００６】【課題を解決するための手段及び効果】前記課題を解決するため請求項１に記載の弾球遊技機は、遊技盤面上に発射された遊技球が特定の入球口に入球又は特定の通過口を通過するタイミングに起因して抽出される乱数値に従って大当りとしての遊技者に有利なゲーム内容とするか否かを決定する当否決定手段と、 大当りに移行するか否かを示す、２つ以上の特別図柄の組み合わせにより構成した当否画像の種類を決定する当否画像決定手段と、  前記当否決定手段により大当りとするか否かを決定する毎に画面上の特別図柄を変動表示した後、前記当否画像決定手段による当否を示す大当り図柄又は外れ図柄で静止表示するよう制御する画像制御手段と、 前記タイミングに従って、前記乱数値が抽選されると、前記当否決定手段による大当りとするか否か、特別図柄の変動中の一図柄を除き他の特別図柄が一致して静止するリーチの有無、特別図柄の変動時間を前記乱数値の抽選確率の高確率状態において短縮する時短の有無、特別図柄が高確率状態とする特定図柄か否か、前記外れ図柄が前記大当たり図柄の前後の図柄か否かに従って、前記特別図柄の変動開始から各特別図柄が静止して確定するまでの変動時間が相違するように設定された、複数の基本変動パターンに振分ける処理を行うことにより、該複数の基本変動パターンから１つの基本変動パターンを選択する基本変動パターン決定手段と、を備え、  該基本変動パターン決定手段、前記当否画像決定手段及び前記当否決定手段を主制御基板に、前記画像制御手段を画像制御基板に、各々備える弾球遊技機であって、 前記主制御基板は、図柄変動中コマンドを有し、該図柄変動中コマンドは、特別図柄変動時に画像制御基板に送信されるコマンドであり、前記基本変動パターンを示す基本変動パターンコード、左静止図柄指定コード、中静止図柄指定コード、右静止図柄指定コードの４種類のコマンドコードからなる画像表示コマンドを有し、  更に、前記画像制御基板に、前記主制御基板より前記画像表示コマンドの送信があることを判定すると、前記基本変動パターン及び各静止図柄を読み取り、前記主制御基板の基本変動パターン決定手段により決定された基本変動パターンを、特別図柄表示領域での特別図柄の変動開始から特別図柄がすべて静止して確定するまでの変動時間を同じにしつつ、最後に静止する特別図柄以外の特別図柄表示領域上での変動時間を静止図柄に対応させて異なる変動時間とする２つ以上の表示パターンに振り分ける表示パターン選択手段を備えたことを特徴とする。【手続補正３】
【補正対象書類名】明細書
【補正対象項目名】００１１
【補正方法】変更
【補正の内容】
【００１１】  請求項２に記載の弾球遊技機は、遊技盤面上に発射された遊技球が特定の入球口に入球又は特定の通過口を通過するタイミングに起因して抽出される乱数値に従って大当りとしての遊技者に有利なゲーム内容とするか否かを決定する当否決定手段と、 大当りに移行するか否かを示す、２つ以上の特別図柄の組み合わせにより構成した当否画像の種類を決定する当否画像決定手段と、  前記当否決定手段により大当りとするか否かを決定する毎に画面上の特別図柄を変動表示した後、前記当否画像決定手段による当否を示す大当り図柄又は外れ図柄で静止表示するよう制御する画像制御手段と、 前記タイミングに従って、前記乱数値が抽選されると、少なくとも前記当否決定手段による大当りとするか否かを条件の１つとして選択される基本変動パターン決定手段と、を備え、  該基本変動パターン決定手段、前記当否画像決定手段及び前記当否決定手段を主制御基板に、前記画像制御手段を画像制御基板に、各々備える弾球遊技機であって、 前記主制御基板は、図柄変動中コマンドを有し、該図柄変動中コマンドは、特別図柄変動時に画像制御基板に送信されるコマンドであり、前記基本変動パターンを示す基本変動パターンコード、左静止図柄指定コード、中静止図柄指定コード、右静止図柄指定コードの４種類のコマンドコードからなる画像表示コマンドを有し、  更に、前記画像制御基板に、前記主制御基板より前記画像表示コマンドの送信があることを判定すると、前記基本変動パターン及び各静止図柄を読み取り、前記主制御基板の基本変動パターン決定手段により決定された基本変動パターンを、特別図柄表示領域での特別図柄の変動開始から特別図柄がすべて静止して確定するまでの変動時間を同じにしつつ、最後に静止する特別図柄以外の特別図柄表示領域上での変動時間を静止図柄に対応させて異なる変動時間とし、且つ前記当否画像を構成する図柄の組合せ態様により２つ以上の表示パターンに振り分ける表示パターン選択手段を備えたことを特徴とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】